(57)【要約】【課題】  スタートパルスの切替のための外部スイッチ部や信号の入れ替え等を必要とせず、表示パネルに表示される画像の左右・上下反転を簡単に実現する。【解決手段】  複数の画素と、前記複数の画素を駆動する駆動回路とを備え、前記各駆動回路は、第１の入出力端子と、第２の入出力端子と、走査方向切替端子と、位置指定用端子とを有し、前記位置指定用端子に印加される電圧と、前記走査方向切替端子に印加される走査方向制御信号とに基づき、前記第１の入出力端子からスタートパルスを取り込み、前記第２の入出力端子から出力する第１走査方向、あるいは、前記第２の入出力端子からスタートパルスを取り込み、前記第１の入出力端子から出力する第２走査方向に切り替え可能である。【選択図】        図３
2007072062.tif 000002
【特許請求の範囲】
【請求項１】
複数の画素と、
前記複数の画素を駆動する駆動回路とを備える表示装置であって、
前記各駆動回路は、第１の入出力端子と、第２の入出力端子と、走査方向切替端子と、位置指定用端子とを有し、
前記位置指定用端子に印加される電圧と、前記走査方向切替端子に印加される走査方向制御信号とに基づき、前記第１の入出力端子からスタートパルスを取り込み、前記第２の入出力端子から出力する第１走査方向、あるいは、前記第２の入出力端子からスタートパルスを取り込み、前記第１の入出力端子から出力する第２走査方向に切り替え可能であることを特徴とする表示装置。
【請求項２】
前記各駆動回路は、走査制御回路と、双方向走査回路とを有し、
前記走査制御回路は、前記位置指定用端子に印加される電圧と、前記走査方向切替端子に印加される走査方向制御信号とに基づき、
前記第１走査方向時に、前記第１の入出力端子に入力されたスタートパルスを前記双方向走査回路に入力させるとともに、前記双方向走査回路内を走査されたスタートパルスを前記第２の入出力端子から出力させ、
前記第２走査方向時に、前記第２の入出力端子に入力されたスタートパルスを前記双方向走査回路に入力させるとともに、前記双方向走査回路内を走査されたスタートパルスを前記第１の入出力端子から出力させることを特徴とする請求項１に記載の表示装置。
【請求項３】
前記位置指定用端子は、第１の位置指定用端子と第２の位置指定用端子とからなり、
前記駆動回路は、第１の位置指定用端子と第２の位置指定用端子に、第１電圧レベルの第１の電圧が印加され、前記走査方向切替端子に印加される走査方向制御信号がＨｉｇｈレベルの時に、前記第１の入出力端子からスタートパルスを取り込み、前記第２の入出力端子から出力させ、
第１の位置指定用端子と第２の位置指定用端子に、前記第１の電圧が印加され、前記走査方向切替端子に印加される走査方向制御信号がＬｏｗレベルの時に、前記第２の入出力端子からスタートパルスを取り込み、前記第１の入出力端子から出力させることを特徴とする請求項１または請求項２に記載の表示装置。
【請求項４】
前記位置指定用端子は、第１の位置指定用端子と第２の位置指定用端子とからなり、
前記駆動回路は、第１の位置指定用端子に、第２電圧レベルの第２の電圧が印加されるとともに、第２の位置指定用端子に、第１電圧レベルの第１の電圧が印加され、前記走査方向切替端子に印加される走査方向制御信号がＨｉｇｈレベルの時に、前記第１の入出力端子からスタートパルスを取り込み、前記第２の入出力端子をハイインピーダンス状態とし、
第１の位置指定用端子に、前記第２の電圧が印加されるとともに、第２の位置指定用端子に、前記第１の電圧が印加され、前記走査方向切替端子に印加される走査方向制御信号がＬｏｗレベルの時に、前記第２の入出力端子からスタートパルスを取り込み、前記第１の入出力端子から出力させることを特徴とする請求項１または請求項２に記載の表示装置。
【請求項５】
前記位置指定用端子は、第１の位置指定用端子と第２の位置指定用端子とからなり、
前記駆動回路は、第１の位置指定用端子に、第１電圧レベルの第１の電圧が印加されるとともに、第２の位置指定用端子に、第２電圧レベルの第２の電圧が印加され、前記走査方向切替端子に印加される走査方向制御信号がＨｉｇｈレベルの時に、前記第１の入出力端子からスタートパルスを取り込み、前記第２の入出力端子から出力させ、
第１の位置指定用端子に、前記第１の電圧が印加されるとともに、第２の位置指定用端子に、前記第２の電圧が印加され、前記走査方向切替端子に印加される走査方向制御信号がＬｏｗレベルの時に、前記第２の入出力端子からスタートパルスを取り込み、前記第１の入出力端子をハイインピーダンス状態とすることを特徴とする請求項１または請求項２に記載の表示装置。
【請求項６】
前記複数の駆動回路の中の両端に位置する駆動回路以外の駆動回路は、第１の位置指定用端子と第２の位置指定用端子に、前記第１の電圧が印加され、
前記複数の駆動回路の中で、前記第１走査方向において先頭に位置する駆動回路は、第１の位置指定用端子に、前記第２の電圧が印加されるとともに、第２の位置指定用端子に、前記第１の電圧が印加され、
前記複数の駆動回路の中で、前記第２走査方向において先頭に位置する駆動回路は、第１の位置指定用端子に、前記第１の電圧が印加されるとともに、第２の位置指定用端子に、前記第２の電圧が印加されることを特徴とする請求項３ないし請求項５のいずれか１項に記載の表示装置。
【請求項７】
前記走査方向制御信号が、Ｈｉｇｈレベルの時に、スタートパルスの走査方向が前記第１走査方向となり、前記走査方向制御信号が、Ｌｏｗレベルの時に、前記スタートパルスの走査方向が前記第２走査方向となることを特徴とする請求項６に記載の表示装置。
【請求項８】
前記複数の画素に映像電圧を印加する複数の映像線を備え、
前記複数の駆動回路は、外部から入力される表示データを順次取り込み、当該取り込んだ表示データに対応する映像電圧を前記映像線に供給する映像線駆動回路であり、
前記スタートパルスは、表示データ取込開始用のスタートパルスであることを特徴とする請求項１ないし請求項７に記載の表示装置。
【請求項９】
前記複数の画素に選択走査電圧を印加する複数の走査線を備え、
前記複数の駆動回路は、前記選択走査電圧を前記走査線に順次供給する走査線駆動回路であり、
前記スタートパルスは、走査線選択開始用のスタートパルスであることを特徴とする請求項１ないし請求項７に記載の表示装置。
【請求項１０】
前記複数の画素に映像電圧を印加する複数の映像線と、
前記複数の画素に選択走査電圧を印加する複数の走査線とを備え、
前記複数の駆動回路は、外部から入力される表示データを順次取り込み、当該取り込んだ表示データに対応する映像電圧を前記映像線に供給する映像線駆動回路と、前記選択走査電圧を前記走査線に順次供給する走査線駆動回路であり、
前記映像線駆動回路のスタートパルスは、表示データ取込開始用のスタートパルスであり、
前記走査線駆動回路のスタートパルスは、走査線選択開始用のスタートパルスであることを特徴とする請求項１ないし請求項７に記載の表示装置。
【発明の詳細な説明】
【技術分野】
【０００１】
本発明は、表示装置に係り、特に、簡便に、上下・左右の反転表示を行うことが可能な表示装置に関する。
【背景技術】
【０００２】
従来の液晶表示装置は、液晶表示パネルに表示される画像の向きが、固定されているのが一般的である。
しかしながら、液晶表示パネルに表示される画像の向きを、左右・上下に反転できれば、液晶表示パネルの様々な実装形態に対応可能となる。
この場合、液晶表示パネルに表示される画像の左右・上下反転を実現させるためには、ドライバ（ドレインドライバ、あるいは、ゲートドライバ）に、走査方向切替機能およびスタートパルスの入力方向切替機能が必要である。
前者は、ドライバヘ入力する信号の電圧レベルで制御可能であるが、後者については、スタートパルスを、ドライバの左右に配置した入出力端子のどちらに入力するかを外部スイッチで切替する必要がある。（下記、特許文献１参照）
【０００３】
なお、本願発明に関連する先行技術文献としては以下のものがある。
【特許文献１】特開平１０−２０７４３０号公報
【発明の開示】
【発明が解決しようとする課題】
【０００４】
図１２は、従来の、走査方向切替機能を有するドレインドライバの一例の概略構成を示すブロック図である。なお、図１２では、走査方向切替機能に関連する構成のみを図示している。
図１２において、１００はドレインドライバ、１０１は走査制御回路、１０２は双方向走査回路、１０３は出力回路、２００はスイッチ部、ＳＷ１，ＳＷ２はスイッチ回路、ＢＡ１〜ＢＡ４はバッファ回路である。
図１２に示すドレインドライバ１００において、走査方向切替端子（ＳＨＬ）に印加される走査方向制御信号の電圧レベルに基づき、走査制御回路１０１が、スイッチ回路（ＳＷ１，ＳＷ２）を制御し、左右に配置したスタートパルスの入出力端子（ＥＩＯ１，ＥＩＯ２）の入出力関係を切り替える。
例えば、走査方向切替端子（ＳＨＬ）に印加される走査方向制御信号がＬｏｗレベル（以下、Ｌレベルという）の場合、走査制御回路１０１は、図１２に示すように、スイッチ回路（ＳＷ１）を制御し、入出力端子（ＥＩＯ２）とバッファ回路（ＢＡ４）とを接続するとともに、入出力端子（ＥＩＯ１）とバッファ回路（ＢＡ１）とを接続する。これにより、スタートパルスは、入出力端子（ＥＩＯ２）から入力され、入出力端子（ＥＩＯ１）から出力される。
また、走査方向切替端子（ＳＨＬ）に印加される走査方向制御信号がＨｉｇｈレベル（以下、Ｈレベルという）の場合、走査制御回路１０１は、スイッチ回路（ＳＷ１）を制御し、入出力端子（ＥＩＯ２）とバッファ回路（ＢＡ３）とを接続するとともに、入出力端子（ＥＩＯ１）とバッファ回路（ＢＡ２）とを接続する。これにより、スタートパルスは、入出力端子（ＥＩＯ１）から入力され、入出力端子（ＥＩＯ２）から出力される。
【０００５】
ここで、走査方向切替端子（ＳＨＬ）に印加される走査制御信号の電圧レベルに応じて、スイッチ部２００の切り替えを行わないと、ドレインドライバ１００にスタートパルスが入力されず、正常な動作を行われない。
そのため、図１２に示す構成では、ドレインドライバ１００の外部に、入出力端子（ＥＩＯ１）、あるいは入出力端子（ＥＩＯ２）に、スタートパルスを入力するためのスイッチ部２００が必要となるという問題点があった。
本発明は、前記従来技術の問題点を解決するためになされたものであり、本発明の目的は、表示装置において、スタートパルスの切替のための外部スイッチ部や、信号の入れ替え等を必要とせず、表示パネルに表示される画像の左右・上下反転を簡単に実現することが可能となる技術を提供することにある。
本発明の前記ならびにその他の目的と新規な特徴は、本明細書の記述及び添付図面によって明らかにする。
【課題を解決するための手段】
【０００６】
本願において開示される発明のうち、代表的なものの概要を簡単に説明すれば、下記の通りである。
前述の課題を解決するために、本発明は、複数の画素と、前記複数の画素を駆動する駆動回路とを備える表示装置であって、前記各駆動回路は、第１の入出力端子と、第２の入出力端子と、走査方向切替端子と、位置指定用端子とを有し、前記位置指定用端子に印加される電圧と、前記走査方向切替端子に印加される走査方向制御信号とに基づき、前記第１の入出力端子からスタートパルスを取り込み、前記第２の入出力端子から出力する第１走査方向、あるいは、前記第２の入出力端子からスタートパルスを取り込み、前記第１の入出力端子から出力する第２走査方向に切り替え可能であることを特徴とする。
また、本発明では、前記各駆動回路は、走査制御回路と、双方向走査回路とを有し、前記走査制御回路は、前記位置指定用端子に印加される電圧と、前記走査方向切替端子に印加される走査方向制御信号とに基づき、前記第１走査方向時に、前記第１の入出力端子に入力されたスタートパルスを前記双方向走査回路に入力させるとともに、前記双方向走査回路内を走査されたスタートパルスを前記第２の入出力端子から出力させ、前記第２走査方向時に、前記第２の入出力端子に入力されたスタートパルスを前記双方向走査回路に入力させるとともに、前記双方向走査回路内を走査されたスタートパルスを前記第１の入出力端子から出力させる。
【０００７】
また、本発明では、前記位置指定用端子は、第１の位置指定用端子と第２の位置指定用端子とからなり、前記駆動回路は、第１の位置指定用端子と第２の位置指定用端子に、第１電圧レベルの第１の電圧が印加され、前記走査方向切替端子に印加される走査方向制御信号がＨｉｇｈレベルの時に、前記第１の入出力端子からスタートパルスを取り込み、前記第２の入出力端子から出力させ、第１の位置指定用端子と第２の位置指定用端子に、前記第１の電圧が印加され、前記走査方向切替端子に印加される走査方向制御信号がＬｏｗレベルの時に、前記第２の入出力端子からスタートパルスを取り込み、前記第１の入出力端子から出力させる。
また、本発明では、前記位置指定用端子は、第１の位置指定用端子と第２の位置指定用端子とからなり、前記駆動回路は、第１の位置指定用端子に、第２電圧レベルの第２の電圧が印加されるとともに、第２の位置指定用端子に、第１電圧レベルの第１の電圧が印加され、前記走査方向切替端子に印加される走査方向制御信号がＨｉｇｈレベルの時に、前記第１の入出力端子からスタートパルスを取り込み、前記第２の入出力端子をハイインピーダンス状態とし、第１の位置指定用端子に、前記第２の電圧が印加されるとともに、第２の位置指定用端子に、前記第１の電圧が印加され、前記走査方向切替端子に印加される走査方向制御信号がＬｏｗレベルの時に、前記第２の入出力端子からスタートパルスを取り込み、前記第１の入出力端子から出力させる。
【０００８】
また、本発明では、前記位置指定用端子は、第１の位置指定用端子と第２の位置指定用端子とからなり、前記駆動回路は、第１の位置指定用端子に、第１電圧レベルの第１の電圧が印加されるとともに、第２の位置指定用端子に、第２電圧レベルの第２の電圧が印加され、前記走査方向切替端子に印加される走査方向制御信号がＨｉｇｈレベルの時に、前記第１の入出力端子からスタートパルスを取り込み、前記第２の入出力端子から出力させ、第１の位置指定用端子に、前記第１の電圧が印加されるとともに、第２の位置指定用端子に、前記第２の電圧が印加され、前記走査方向切替端子に印加される走査方向制御信号がＬｏｗレベルの時に、前記第２の入出力端子からスタートパルスを取り込み、前記第１の入出力端子をハイインピーダンス状態とする。
また、本発明では、前記複数の駆動回路の中の両端に位置する駆動回路以外の駆動回路は、第１の位置指定用端子と第２の位置指定用端子に、前記第１の電圧が印加され、前記複数の線駆動回路の中で、前記第１走査方向において先頭に位置する駆動回路は、第１の位置指定用端子に、前記第２の電圧が印加されるとともに、第２の位置指定用端子に、前記第１の電圧が印加され、前記複数の駆動回路の中で、前記第２走査方向において先頭に位置する駆動回路は、第１の位置指定用端子に、前記第１の電圧が印加されるとともに、第２の位置指定用端子に、前記第２の電圧が印加される。
【０００９】
また、本発明では、前記走査方向制御信号が、Ｈｉｇｈレベルの時に、スタートパルスの走査方向が前記第１走査方向となり、前記走査方向制御信号が、Ｌｏｗレベルの時に、前記スタートパルスの走査方向が前記第２走査方向となる。
また、本発明では、前記複数の画素に映像電圧を印加する複数の映像線を備え、前記複数の駆動回路は、外部から入力される表示データを順次取り込み、当該取り込んだ表示データに対応する映像電圧を前記映像線に供給する映像線駆動回路であり、前記スタートパルスは、表示データ取込開始用のスタートパルスである。
また、本発明では、前記複数の画素に選択走査電圧を印加する複数の走査線を備え、前記複数の駆動回路は、前記選択走査電圧を前記走査線に順次供給する走査線駆動回路であり、前記スタートパルスは、走査線選択開始用のスタートパルスである。
【発明の効果】
【００１０】
本願において開示される発明のうち代表的なものによって得られる効果を簡単に説明すれば、下記の通りである。
本発明の表示装置によれば、スタートパルスの切替のための外部スイッチ部や、信号の入れ替え等を必要とせず、表示パネルに表示される画像の左右・上下反転を簡単に実現することが可能となる。
【発明を実施するための最良の形態】
【００１１】
以下、図面を参照して本発明の実施例を詳細に説明する。
なお、実施例を説明するための全図において、同一機能を有するものは同一符号を付け、その繰り返しの説明は省略する。
［本発明の前提となる液晶表示モジュールの構成］
図１は、本発明の前提となるＴＦＴ方式の液晶表示モジュールの回路構成を示すブロック図である。
図１に示す液晶表示モジュールは、液晶表示パネル１０と、表示制御装置１１と、電源回路１２と、ドレインドライバ部１３と、ゲートドライバ部１４とで構成される。
図２は、図１に示す液晶表示パネル１０の一例の等価回路を示す図である。
図２に示すように、液晶表示パネル１０は、マトリクス状に形成される複数の画素を有する。各画素は薄膜トランジスタ（ＴＦＴ）を有し、各画素の薄膜トランジスタ（ＴＦＴ）のソース電極は、画素電極（ＩＴＯ１）に接続される。
また、画素電極（ＩＴＯ１）と共通電極（対向電極、またはコモン電極ともいう）（ＩＴＯ２）との間に液晶層が設けられるので、画素電極（ＩＴＯ１）と共通電極（ＩＴＯ２）との間には、液晶容量（ＣLC）が等価的に接続される。
さらに、薄膜トランジスタ（ＴＦＴ）のソース電極と共通電極（ＩＴＯ２）との間には、蓄積容量（ＣS）が接続される。
【００１２】
図１に示すドレインドライバ部１３は、複数のドレインドライバで構成され、同じく、ゲートドライバ部１４は、複数のゲートドライバで構成される。
図２に示す液晶表示パネル１０において、列方向に配置された各画素の薄膜トランジスタ（ＴＦＴ）のドレイン電極は、それぞれドレイン線（映像線ともいう）Ｄに接続され、各ドレイン線Ｄは、列方向の各画素の液晶に階調電圧を印加するドレインドライバ部１３のドレインドライバに接続される。
また、行方向に配置された各画素における薄膜トランジスタ（ＴＦＴ）のゲート電極は、それぞれゲート線（走査線ともいう）Ｇに接続され、各ゲート線Ｇは、１水平走査時間、行方向の各画素の薄膜トランジスタ（ＴＦＴ）のゲート電極に走査駆動電圧（正のバイアス電圧あるいは負のバイアス電圧）を供給するゲートドライバ部１４のゲートドライバに接続される。
【００１３】
表示制御装置１１０は、外部から送信されてくるクロック信号、ディスプレイタイミング信号、水平同期信号、垂直同期信号の各表示制御信号および表示用デ−タ（Ｒ・Ｇ・Ｂ）を基に、ドレインドライバ部１３の各ドレインドライバ、および、ゲートドライバ部１４の各ゲートドライバを制御・駆動する。
電源回路１２は、階調基準電圧をドレインドライバ部１３の各ドレインドライバに対して供給するとともに、ゲートドライバ部１４の各ゲートドライバに対して走査駆動電圧を供給し、さらに、共通電極（ＩＴＯ２）に共通電圧を供給する。
また、電源回路１２は、各ドライバの電源電圧を、ドレインドライバ部１３の各ドレインドライバと、ゲートドライバ部１４の各ゲートドライバに対して供給する。
ゲートドライバ部１４の各ゲートドライバは、ゲート線Ｇに対して、１水平走査ライン毎に、１水平走査時間、薄膜トランジスタ（ＴＦＴ）をオンとする走査信号電圧を順次供給して、薄膜トランジスタ（ＴＦＴ）をオンとする。
また、ドレインドライバ部１３の各ドレインドライバは、ドレイン線Ｄに対して映像信号電圧を供給し、オンとされた薄膜トランジスタ（ＴＦＴ）を介して画素電極（ＩＴＯ１）に映像信号電圧を印加し、各画素に映像信号電圧を書き込み、画素電極（ＩＴＯ１）と共通電極（ＩＴＯ２）との間の液晶容量（ＣLC）を所定の電圧に充電する。
この充電電圧に基づき、各画素の液晶分子の配向方向を変化させて画像を表示する。
以上の動作により、液晶表示パネル１００に画像が表示される。
【００１４】
［実施例］
図３は、本発明の実施例のドレインドライバの概略構成を示すブロック図である。
図３において、１００はドレインドライバ、１０１は走査制御回路、１０２は双方向走査回路、１０３は出力回路、ＳＷ１，ＳＷ２はスイッチ回路、ＢＡ１〜ＢＡ４はバッファ回路である。
本実施例では、ドライバの位置を指定するための第１および第２の位置指定用端子（ＬＯＣ１，ＬＯＣ２）を設け、当該位置指定用端子（ＬＯＣ１，ＬＯＣ２）に、Ｈレベル（例えば、ＶＣＣの電源電圧）、あるいは、Ｌレベル（ＧＮＤの接地電圧）を印加する。
そして、本実施例では、ドライバの走査方向切替端子（ＳＨＬ）、および、新規に設けた位置指定用端子（ＬＯＣ１，ＬＯＣ２）に入力する電圧の電圧レベルに基づき、走査制御回路１０１が、表示データ取込開始用のスタートパルスの入出力端子の入出力切替およびハイインピーダンス状態ヘの切替を行う。
図４は、位置指定用端子（ＬＯＣ１，ＬＯＣ２）に印加される電圧の電圧レベルと、走査方向切替端子（ＳＨＬ）に入力される走査方向制御信号の電圧レベルと、入出力端子（ＥＩＯ１，ＥＩＯ２）の切り替え状態と、走査方向（シフト方向）の関係を示す表である。
【００１５】
図４の表に示すように、位置指定用端子（ＬＯＣ１）に印加される電圧が、Ｈレベル、位置指定用端子（ＬＯＣ２）に印加される電圧が、Ｈレベル、走査方向切替端子（ＳＨＬ）に印加される走査方向制御信号が、Ｈレベルの場合と、位置指定用端子（ＬＯＣ１）に印加される電圧が、Ｈレベル、位置指定用端子（ＬＯＣ２）に印加される電圧が、Ｌレベル、走査方向切替端子（ＳＨＬ）に印加される走査方向制御信号が、Ｈレベルの場合に、走査制御回路１０１は、スイッチ回路（ＳＷ１）を制御し、入出力端子（ＥＩＯ２）とバッファ回路（ＢＡ３）とを接続するとともに、スイッチ回路（ＳＷ２）を制御し、入出力端子（ＥＩＯ１）とバッファ回路（ＢＡ２）とを接続する。
これにより、入出力端子（ＥＩＯ１）がスタートパルスの入力端子（ＩＮ ）として機能し、入出力端子（ＥＩＯ２）がスタートパルスの出力端子（ＯＵＴ）として機能する。この場合に、走査方向（シフト方向）は、出力端子（Ｙ１）から出力端子（Ｙｎ）の方向となる。
また、位置指定用端子（ＬＯＣ１）に印加される電圧が、Ｌレベル、位置指定用端子（ＬＯＣ２）に印加される電圧が、Ｈレベル、走査方向切替端子（ＳＨＬ）に印加される走査方向制御信号がＨレベルの場合に、走査制御回路１０１は、スイッチ回路（ＳＷ１）を制御し、入出力端子（ＥＩＯ２）に何も接続せずオープンとするとともに、スイッチ回路（ＳＷ２）を制御し、入出力端子（ＥＩＯ１）とバッファ回路（ＢＡ２）とを接続する。
これにより、入出力端子（ＥＩＯ１）がスタートパルスの入力端子（ＩＮ ）として機能し、入出力端子（ＥＩＯ２）が、ハイインピーダンス状態となる。この場合に、走査方向（シフト方向）は、出力端子（Ｙ１）から出力端子（Ｙｎ）の方向となる。
【００１６】
また、位置指定用端子（ＬＯＣ１）に印加される電圧が、Ｈレベル、位置指定用端子（ＬＯＣ２）に印加される電圧が、Ｈレベル、走査方向切替端子（ＳＨＬ）に印加される走査方向制御信号が、Ｌレベルの場合と、位置指定用端子（ＬＯＣ１）に印加される電圧が、Ｌレベル、位置指定用端子（ＬＯＣ２）に印加される電圧が、Ｈレベル、走査方向切替端子（ＳＨＬ）に印加される走査方向制御信号が、Ｌレベルの場合に、走査制御回路１０１は、スイッチ回路（ＳＷ１）を制御し、入出力端子（ＥＩＯ２）とバッファ回路（ＢＡ４）とを接続するとともに、スイッチ回路（ＳＷ２）を制御し、入出力端子（ＥＩＯ１）とバッファ回路（ＢＡ１）とを接続する。
これにより、入出力端子（ＥＩＯ２）がスタートパルスの入力端子（ＩＮ ）として機能し、入出力端子（ＥＩＯ１）がスタートパルスの出力端子（ＯＵＴ）として機能する。この場合に、走査方向（シフト方向）は、出力端子（Ｙｎ）から出力端子（Ｙ１）の方向となる。
さらに、位置指定用端子（ＬＯＣ１）に印加される電圧が、Ｈレベル、位置指定用端子（ＬＯＣ２）に印加される電圧が、Ｌレベル、走査方向切替端子（ＳＨＬ）に印加される走査方向制御信号が、Ｌレベルの場合に、走査制御回路１０１は、スイッチ回路（ＳＷ１）を制御し、入出力端子（ＥＩＯ２）とバッファ回路（ＢＡ４）とを接続するとともに、スイッチ回路（ＳＷ２）を制御し、入出力端子（ＥＩＯ１）に何も接続せずオープンとする。
これにより、入出力端子（ＥＩＯ２）がスタートパルスの入力端子（ＩＮ ）として機能し、入出力端子（ＥＩＯ１）が、ハイインピーダンス状態となる。この場合に、走査方向（シフト方向）は、出力端子（Ｙｎ）から出力端子（Ｙ１）の方向となる。
本実施例において、入出力端子（ＥＩＯ１，ＥＩＯ２）が、ハイインピーダンス状態では、図３に示したように、スタートパルスを、入出力端子（ＥＩＯ１，ＥＩＯ２）の両端子に入力しても、入出力端子（ＥＩＯ１）と、入出力端子（ＥＩＯ２）との間でループを形成することはないので、前述したスイッチ部２００が必要なくなる。
【００１７】
本実施例では、位置指定用端子（ＬＯＣ１，ＬＯＣ２）に、所定の電圧レベルの電圧を予め印加しておくことで、走査方向切替端子（ＳＨＬ）に印加する走査方向制御信号の電圧レベルを、Ｈレベル、あるいは、Ｌレベルに切り替えるだけで、液晶表示パネルに表示される画像の反転表示が可能となる。
図５は、図３に示すドレインドライバを複数使用して、正常スキャン動作を行う場合を説明するための模式図であり、図６は、図３に示すドレインドライバを複数使用して、反転スキャン動作を行う場合を説明するための模式図である。
図５、図６において、１００１〜１００ｎはドレインドライバである。これらの図に示すように、最左端のドレインドライバ１００１の位置指定用端子（ＬＯＣ１）に印加される電圧は、Ｌレベル、位置指定用端子（ＬＯＣ２）に印加される電圧は、Ｈレベルとされる。
また、最右端のドレインドライバ１００ｎの位置指定用端子（ＬＯＣ１）に印加される電圧は、Ｈレベル、位置指定用端子（ＬＯＣ２）に印加される電圧は、Ｌレベルとされる。
また、ドレインドライバ（１００２〜１００ｎ−１）の位置指定用端子（ＬＯＣ１，ＬＯＣ２）に印加される電圧は、それぞれＨＬベルとされる。
この状態において、走査方向切替端子（ＳＨＬ）に印加する走査方向制御信号を、Ｌレベルとすることで、ドレインドライバ１００１から走査を開始し、即ち、走査方向（シフト方向）を、ドレインドライバ１００１からドレインドライバ１００ｎへの方向となし、正常な表示を行う。
この状態で、走査方向切替端子（ＳＨＬ）に印加する走査方向制御信号を、Ｈレベルとすることで、ドレインドライバ１００ｎから走査を開始し、即ち、走査方向（シフト方向）を、ドレインドライバ１００ｎからドレインドライバ１００１への方向となし、左右反転転画像を表示することが可能となる。
この場合に、正常スキャン動作から反転スキャン動作、あるいは、反転スキャン動作から正常スキャン動作への制御は、走査方向切替端子（ＳＨＬ）に印加する走査方向制御信号の電圧レベルだけであり、スタートパルスの切替のための外部スイッチや信号の入れ替え等を必要とせず、きわめて簡便な反転表示制御が可能となる。
【００１８】
前述した位置指定用端子（ＬＯＣ１，ＬＯＣ２）を、ゲートドライバにも適用することで、液晶表示パネルに表示される画像の上下・左右のミラー反転表示が可能となり、液晶表示パネルの様々な実装形態に対応することが可能となる。なお、ゲートドライバの場合は、スタートパルスは、走査線選択開始用のスタートパルス（フレーム開始信号）となる。
図７は、本実施例の液晶表示モジュールにおいて、液晶表示パネルに表示される画像の一例を示す図である。
図８は、本発明の実施例の液晶表示モジュールにおいて、図７に示す液晶表示パネルに表示される画像の左右反転表示画像を示す図である。
図９は、本発明の実施例の液晶表示モジュールにおいて、図７に示す液晶表示パネルに表示される画像の上下反転表示画像を示す図である。
図１０は、本発明の実施例の液晶表示モジュールにおいて、図７に示す液晶表示パネルに表示される画像の左右・上下反転表示画像を示す図である。
図７〜図１０では、ドレインドライバを、１００１〜１００４の４個、ゲートドライバを、１１０１〜１１０３の３個で構成した場合を図示している。
各ドレインドライバ（１００１〜１００４）の位置指定用端子（ＬＯＣ１）、および位置指定用端子（ＬＯＣ２）に印加される電圧は、それぞれ、図５、図６に図示する電圧レベルとされる。
同様に、各ゲートドライバ（１１０１〜１１０３）の位置指定用端子（ＬＯＣ１）、および位置指定用端子（ＬＯＣ２）に印加される電圧も、それぞれ、図５、図６に図示するレベルとされる。
【００１９】
この状態では、図７に示すように、各ドレインドライバの（１００１〜１００４）の水平走査方向切替端子（ＳＨＬ（Ｈ））に印加する走査方向制御信号を、Ｌレベル、各ゲートドライバの（１１０１〜１１０３）の垂直走査方向切替端子（ＳＨＬ（Ｖ））に印加する走査方向制御信号を、Ｌレベルとすることにより、液晶表示パネルに表示される画像は、図７に示す画像となる。
また、図８に示すように、各ドレインドライバの（１００１〜１００４）の水平走査方向切替端子（ＳＨＬ（Ｈ））に印加する走査方向制御信号を、Ｈレベル、各ゲートドライバの（１１０１〜１１０３）の垂直走査方向切替端子（ＳＨＬ（Ｖ））に印加する走査方向制御信号を、Ｌレベルとすることにより、液晶表示パネルに表示される画像は、図７に示す画像の左右反転表示画像となる。
また、図９に示すように、各ドレインドライバの（１００１〜１００４）の水平走査方向切替端子（ＳＨＬ（Ｈ））に印加する走査方向制御信号を、Ｌレベル、各ゲートドライバの（１１０１〜１１０３）の垂直走査方向切替端子（ＳＨＬ（Ｖ））に印加する走査方向制御信号を、Ｈレベルとすることにより、液晶表示パネルに表示される画像は、図７に示す画像の上下反転表示画像となる。
さらに、図１０に示すように、各ドレインドライバの（１００１〜１００４）の水平走査方向切替端子（ＳＨＬ（Ｈ））に印加する走査方向制御信号を、Ｈレベル、各ゲートドライバの（１１０１〜１１０３）の垂直走査方向切替端子（ＳＨＬ（Ｖ））に印加する走査方向制御信号を、Ｈレベルとすることにより、液晶表示パネルに表示される画像は、図７に示す画像の左右・上下反転表示画像となる。
このように、本実施例では、左右・上下のミラー反転表示を、水平走査方向切替端子（ＳＨＬ（Ｈ））に印加する走査方向制御信号、および、垂直走査方向切替端子（ＳＨＬ（Ｖ））に印加する走査方向制御信号の電圧レベルの切替のみで制御することができ、液晶表示パネルの様々な実装形態に対応することが可能となる。
【００２０】
図１１は、図３に示す出力回路１０３の一例の概略構成を示すブロック図である。
図１１に示す出力回路１０３では、表示データ４２は、双方向走査回路１０２からの表示データ取込パルスに従い、データラッチ回路４５に１行分の表示データとして一時保持される。
一方、階調電圧発生回路４７は、階調表示に必要な複数の階調電圧４８を発生する回路で、例えば、６４個の階調電圧４８を発生する。
セレクタ（デコーダともいう）４９は、６４個の階調電圧４８のうち、１つの階調電圧をデータラッチ回路４６に保持されている表示データに応じてそれぞれ選択し、出力アンプ回路５０を介して、出力端子（Ｙ１〜Ｙｎ）に出力し、ドレイン線（Ｄ）に供給する。
図１１に示す出力回路１０３では、双方向走査回路１０２における、前述した走査方向（シフト方向）の切り替えに応じて、データラッチ回路４６にラッチされる表示データの順番が、出力端子（Ｙ１）に対応するデータラッチ回路から、出力端子（Ｙｎ）に対応するデータラッチ回路への順と、出力端子（Ｙｎ）に対応するデータラッチ回路から、出力端子（Ｙ１）に対応するデータラッチ回路への順とに切り替えられる。
なお、前述の説明では、本発明をＴＦＴ方式の液晶表示モジュールに適用した実施例について説明したが、本発明はこれに限定されるものではなく、本発明は、有機ＥＬ素子を有するＥＬ表示装置にも適用可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２１】
【図１】本発明の前提となるＴＦＴ方式の液晶表示モジュールの回路構成を示すブロック図である。
【図２】図１に示す液晶表示パネルの一例の等価回路を示す図である。
【図３】本発明の実施例のドレインドライバの概略構成を示すブロック図である。
【図４】位置指定用端子（ＬＯＣ１，ＬＯＣ２）に印加される電圧の電圧レベルと、走査方向切替端子（ＳＨＬ）に入力される走査方向制御信号の電圧レベルと、入出力端子（ＥＩＯ１，ＥＩＯ２）の切り替え状態と、走査方向（シフト方向）の関係を示す表である。
【図５】図３に示すドレインドライバを複数使用して、正常スキャン動作を行う場合を説明するための模式図である。
【図６】図３に示すドレインドライバを複数使用して、反転スキャン動作を行う場合を説明するための模式図である。
【図７】本発明の実施例の液晶表示モジュールにおいて、液晶表示パネルに表示される画像の一例を示す図である。
【図８】本発明の実施例の液晶表示モジュールにおいて、図７に示す液晶表示パネルに表示される画像の左右反転表示画像を示す図である。
【図９】本発明の実施例の液晶表示モジュールにおいて、図７に示す液晶表示パネルに表示される画像の上下反転表示画像を示す図である。
【図１０】本発明の実施例の液晶表示モジュールにおいて、図７に示す液晶表示パネルに表示される画像の左右・上下反転表示画像を示す図である。
【図１１】図３に示す出力回路の一例の概略構成を示すブロック図である。
【図１２】従来の、走査方向切替機能を有するドレインドライバの一例の概略構成を示すブロック図である。
【符号の説明】
【００２２】
１０  液晶表示パネル
１１  表示制御装置
１２  電源回路
１３  ドレインドライバ部
１４  ゲートドライバ部
４２  表示データ
４５  データラッチ回路
４７  階調電圧発生回路
４８  階調電圧
４９  セレクタ（デコーダ）
５０  出力アンプ回路
１００，１００１〜１００ｎ  ドレインドライバ
１０１  走査制御回路
１０２  双方向走査回路
１０３  出力回路
１１０１〜１１０３  ゲートドライバ
２００  スイッチ部
Ｄ  ドレイン線
Ｇ  ゲート線
Ｙ  出力端子
ＥＩＯ１，ＥＩＯ２  入出力端子
ＳＨＬ  走査方向切替端子
ＳＨＬ（Ｈ）  水平走査方向切替端子
ＳＨＬ（Ｖ）  垂直走査方向切替端子
ＬＯＣ１，ＬＯＣ２  位置指定用端子
ＳＷ１，ＳＷ２  スイッチ回路
ＢＡ１〜ＢＡ４  バッファ回路
ＴＦＴ  薄膜トランジスタ
ＩＴＯ１  画素電極
ＩＴＯ２  共通電極（対向電極、またはコモン電極）
ＣLC  液晶容量
ＣS  蓄積容量
【図１】
2007072062.tif 000003
【図２】
2007072062.tif 000004
【図３】
2007072062.tif 000005
【図４】
2007072062.tif 000006
【図５】
2007072062.tif 000007
【図６】
2007072062.tif 000008
【図７】
2007072062.tif 000009
【図８】
2007072062.tif 000010
【図９】
2007072062.tif 000011
【図１０】
2007072062.tif 000012
【図１１】
2007072062.tif 000013
【図１２】
2007072062.tif 000014